(57)【要約】【課題】  ユーザが使用するドライブ装置によりＢＣＡ信号が記録されない情報記憶媒体を提供する。【解決手段】  波長４００〜８００ｎｍの範囲で強度３００ｍＷ以下のレーザ光を開口数０．８５〜０．４５の範囲の対物レンズで絞って照射し、且つ、線速１．２ｍ／ｓ以上で回転駆動する光ディスク記録再生装置に装填される情報記憶媒体であって、管理情報を格納する管理情報エリア１、１ａと、この管理情報エリア１、１ａの外周側に情報を記録可能なユーザエリア２、２ａとを少なくとも含み、レーザ光が管理情報エリア１、１ａに照射された際でも管理情報エリア１、１ａの反射率の変化を起こさないことを特徴とする。【選択図】  図１
2006268906.tif 000002
【特許請求の範囲】
【請求項１】
波長４００〜８００ｎｍの範囲で強度３００ｍＷ以下のレーザ光を開口数０．８５〜０．４５の範囲の対物レンズで絞って照射し、且つ、線速１．２ｍ／ｓ以上で回転駆動する光ディスク記録再生装置に装填される情報記憶媒体であって、
管理情報を格納する管理情報エリアと、
この管理情報エリアの外周側に情報を記録可能なユーザエリアとを少なくとも含み、
前記レーザ光が前記管理情報エリアに照射された際でも前記管理情報エリアの反射率の変化を起こさないことを特徴とする情報記憶媒体。
【請求項２】
前記管理情報エリアにうち前記管理情報が記録されていない部分に対し前記レーザ光が照射された後、その部分を再生した際の再生信号の反射率のレベルが、
（反射率の低いレベル）／（反射率の高いレベル）≧０．８
を満たすことを特徴とする請求項１記載の情報記憶媒体。
【請求項３】
前記情報記憶媒体は、有機色素或いは無機材料を記録層に用いた記録可能な光ディスクであることを特徴とする請求項１記載の情報記憶媒体。
【請求項４】
前記情報記憶媒体は、金属層を反射層に用いた再生専用の光ディスクであることを特徴とする請求項１記載の情報記憶媒体。
【請求項５】
管理情報を格納する管理情報エリアとこの管理情報エリアの外周側に情報を記録可能なユーザエリアとを少なくとも含む情報記憶媒体に対して前記情報を記録又は再生する光ディスク記録再生装置であって、
前記情報記憶媒体を回転させるスピンドルモータと、
このスピンドルモータを回転駆動させるスピンドル駆動部と、
前記スピンドル駆動部によって前記情報記憶媒体が回転されたときに、波長４００〜８００ｎｍの範囲でレーザ光を出射するレーザ光源と、
このレーザ光源から出射される前記レーザ光のパワーを制限するレーザドライバーと、
前記レーザ光源から出射される前記レーザ光を開口数０．８５〜０．４５の範囲で絞り込む対物レンズとを備え、
少なくとも前記管理情報エリアに前記レーザ光を照射する際に、前記レーザドライバーは前記レーザ光源に対し強度３００ｍＷ以下で出射させるよう制御し、前記スピンドル駆動部は前記スピンドルモータに対し線速１．２ｍ／ｓ以上で回転駆動させることを特徴とする光ディスク記録再生装置。
【発明の詳細な説明】
【技術分野】
【０００１】
本発明は、例えばＣＤ、ＤＶＤ、ＢＤ（Blu-Ray DISC）、ＨＤ  ＤＶＤなどのディスク状の情報記憶媒体に関する。また、本発明は、同心円状の管理情報エリアに形成された複数の溝又は同心円状の管理情報エリアに記録された複数のマークから管理情報を再生したり通常の情報を再生する光ディスク記録再生装置に関する。
【背景技術】
【０００２】
ＤＶＤ等の光ディスクには、バーコード状のパターンが記録されるＢＣＡ（Burst Cutting Area）と呼ばれる領域が設けられている。例えば、バーコード状のパターンに対応した変調信号とディスク回転モーターからの信号とを同期させて、ディスク上にバーコード状のパターンを記録する技術が提案されている（特許文献１参照）。
【特許文献１】特開２００４−１５２４２９号公報
【発明の開示】
【発明が解決しようとする課題】
【０００３】
上記特許文献１に記載の技術によると、専用のＢＣＡ記録装置を用いて再生専用型のディスクの反射膜をレーザーで焼き切る、または相変化記録型のディスクをレーザーで相変化させることで、バーコード状のＢＣＡパターンを記録している。
【０００４】
原理的にはユーザーの使用する光ディスクドライブでも、このＢＣＡパターンの記録は可能である。しかし不正コピー防止などの理由により、メディアに固有の書き換え不可なＢＣＡ信号を持たせる場合、ユーザー各自のドライブでＢＣＡ信号が記録できてしまうことは好ましくない。
【０００５】
そこで、本発明の目的は、上記の問題を解決するために成されたものであり、ユーザが使用するドライブ装置によりＢＣＡ信号が記録されない情報記憶媒体を提供することにある。また、本発明の目的は、ユーザが使用するドライブ装置に対して、レーザパワーや線速の条件を制限することにより、ＢＣＡ信号を記録できないようにした光ディスク記録再生装置を提供することにある。
【課題を解決するための手段】
【０００６】
上記した課題を解決するために、この発明は、波長４００〜８００ｎｍの範囲で強度３００ｍＷ以下のレーザ光を開口数０．８５〜０．４５の範囲の対物レンズで絞って照射し、且つ、線速１．２ｍ／ｓ以上で回転駆動する光ディスク記録再生装置に装填される情報記憶媒体であって、管理情報を格納する管理情報エリアと、この管理情報エリアの外周側に情報を記録可能なユーザエリアとを少なくとも含み、前記レーザ光が前記管理情報エリアに照射された際でも前記管理情報エリアの反射率の変化を起こさないことを特徴とする。
【０００７】
また上記した課題を解決するために、この発明は、管理情報を格納する管理情報エリアとこの管理情報エリアの外周側に情報を記録可能なユーザエリアとを少なくとも含む情報記憶媒体に対して前記情報を記録又は再生する光ディスク記録再生装置であって、前記情報記憶媒体を回転させるスピンドルモータと、このスピンドルモータを回転駆動させるスピンドル駆動部と、前記スピンドル駆動部によって前記情報記憶媒体が回転されたときに、波長４００〜８００ｎｍの範囲でレーザ光を出射するレーザ光源と、このレーザ光源から出射される前記レーザ光のパワーを制限するレーザドライバーと、前記レーザ光源から出射される前記レーザ光を開口数０．８５〜０．４５の範囲で絞り込む対物レンズとを備え、少なくとも前記管理情報エリアに前記レーザ光を照射する際に、前記レーザドライバーは前記レーザ光源に対し強度３００ｍＷ以下で出射させるよう制御し、前記スピンドル駆動部は前記スピンドルモータに対し線速１．２ｍ／ｓ以上で回転駆動させることを特徴とすることを特徴とする。
【発明の効果】
【０００８】
この発明によれば、ＢＣＡ領域にＢＣＡ信号が記録できないよう光ディスク及び光ディスク記録再生装置の特性を規定することで、ユーザーが各自のドライブで勝手にＢＣＡを記録することが出来ないようにした。こうすることでＢＣＡ信号はディスク製造業者が持つ専用の装置で記録するしかなくなり、ＢＣＡ信号が不正コピー防止や他メディアへの成りすまし防止などの役割を果たすことが出来る。
【発明を実施するための最良の形態】
【０００９】
以下、この発明の実施例について、図面を参照しながら詳細に説明する。
【００１０】
図１は、本発明の情報記憶媒体の一例の光ディスク（再生専用光ディスク、追記型光ディスク、書換型光ディスク）におけるＢＣＡ（Burst Cutting Area）の構成を示す図である。また、図２は、この光ディスクの作成方法の流れを示す図である。また、図３は、この光ディスク上に形成されるＢＣＡの中のＢＣＡパターンの第１例を示す図である。図４は、この光ディスク上に形成されるＢＣＡの中のＢＣＡパターンの第２例を示す図である。なお、見方を変えると、図１は、本発明の一例のスタンパーにおけるＢＣＡの構成を示す図でもある。同様に、図３は、このスタンパー上に形成されるＢＣＡの中のＢＣＡパターンの第１例を示す図でもある。図４は、このスタンパー上に形成されるＢＣＡの中のＢＣＡパターンの第２例を示す図でもある。なお、スタンパーとは、光ディスクをプレスにより成形するためのものである。
【００１１】
光ディスクＯＤには、ディスク製造時にディスク固有の情報又は管理情報があらかじめ記録される。ディスク固有の情報とは、例えばコピープロテクション情報である。例えば、コピープロテクション情報は、個々のディスクの識別に使用される。
【００１２】
ＣＤ、ＤＶＤ、ＢＤ、ＨＤ ＤＶＤなどの光ディスクにおいて、このようなディスク固有の情報又は管理情報はディスク内周部のＢＣＡ内にバーコード状のパターンとして、あらかじめ刻まれる。このようなバーコード状のパターンが刻まれたＢＣＡをディスク上に設けるには、光ディスク成形時の型となるスタンパーにＢＣＡ内のバーコード状のパターンを刻んでおくという方法がある。しかし、ディスク一枚一枚に別個の固有の情報を記録するためには、製盤後のディスクに対して例えばレーザーなどによりＢＣＡパターンを刻む必要がある。通常再生専用ディスクに対してＢＣＡを記録する場合は、レーザー光で金属反射膜を焼き切ることでパターンを作製する。また相変化記録型ディスクや有機色素追記型ディスクに対してＢＣＡを記録する場合は、レーザー光で記録層を変化させて反射率を変えることでパターンを作製する。
【００１３】
上記の方法でレーザー光によりＢＣＡを記録する場合、一般に市販されるレベルの光ディスク記録再生装置によりＢＣＡを記録するということも原理的には可能である。しかしそのようにしてユーザー側で自由にＢＣＡを記録できてしまうと、不正コピー防止やメディア種別の詐称防止などのＢＣＡの目的が果たせなくなってしまう。
【００１４】
そこで本発明では、記録層の感度を市販レベルの光ディスク記録再生装置では記録することができない範囲に規定する。そうすることで、ＢＣＡを記録するためにはディスク製造メーカーなどが有する専用のＢＣＡ記録装置が必要となり、ユーザーによる不正なＢＣＡ記録を防ぐことが出来る。
【００１５】
次に、ＢＣＡ内のバーコード状のパターンは、次のようにして読み取られる。まずディスクを回転させて光ディスク記録再生装置のレーザービームをディスク表面にフォーカスさせる。レーザービームがＢＣＡに入ると、このレーザービームの反射光にはＢＣＡ内のバーコード状のパターンが反映される。つまり、このレーザービームの反射光を検出することにより、ＢＣＡ内のバーコード状のパターンを再生することができる。
【００１６】
例えばＨＤ ＤＶＤ（次世代ＤＶＤ）などの高密度光ディスクに適用されるレーザービームのスポット径は、約０．５μｍである。これに対して、現世代の光ディスクに適用されているＢＣＡ内のバーコード一本の幅（円周方向）は数十μｍである。このように、読み取られるべきバーコード状のパターンに対してレーザービームのスポット径が極めて小さい。このため、バーコード状のパターンの再生信号にひずみが現れる可能性がある。例えば、バーコードの中央部では信号がＬｏｗレベルになるべきところが、バーコードのエッジから離れているがために逆にＨｉｇｈレベルに近くなってしまうなどの現象が起こる。
【００１７】
そこで、ＢＣＡ内のパターンを次のように形成する。図１又は図３に示すように、光ディスク（情報記憶媒体）Ｄは、内周側に同心円状のＢＣＡ（管理情報エリア）１を備え、このＢＣＡ１の外周側には情報を記録できるユーザエリア２を備えている。このＢＣＡ１は、円周方向及び半径方向に刻まれた複数の溝１１、又は円周方向及び半径方向に記録された複数のマーク１２を備えている。マーク１２は、凹凸状のものでもよいし、相変化または色素変化により記録されたものでもよい。また、このマーク１２の反射率は、マーク１２が無い部分の反射率より低くなる。なお、その逆で、このマーク１２の反射率は、マーク１２が無い部分の反射率より高くなるようにしてもよい。また、半径方向に並んだ溝１１又はマーク１２の集合体は、ＢＣＡパターン１０（棒状のパターン）を形成している。また、円周方向に並んだＢＣＡパターン１０の集合体は、ディスク固有の情報又は管理情報を構成する。別の言い方をすれば、ＢＣＡ１は、半径方向に並んだ複数の溝１１又はマーク１２の集合体により構成される円周方向に並んだ複数のＢＣＡパターン１０を含む。そして、この円周方向に並んだ複数のＢＣＡパターン１０が、管理情報を構成する。
【００１８】
また、溝１１又はマーク１２の幅Ｗ（半径方向の長さ）は、０．１５μｍ≦Ｗ≦０．５μｍである。また、半径方向に隣接し合う溝１１又はマーク１２同士の間（エッジ間）の距離Ｄは、Ｄ≦０．５μｍである。また、半径方向に隣接し合う溝１１又はマーク１２同士の円周方向のずれ量Ｓは、０．５μｍ≦Ｓ≦５．０μｍである。なお、円周方向に隣接し合うＢＣＡパターン１０同士の距離は、半径方向に隣接し合う溝１１又はマーク１２同士の間（エッジ間）の距離Ｄよりも十分長くなっており、このような距離間隔で配置されるＢＣＡパターン１０によりディスク固有の情報又は管理情報が構成される。
【００１９】
以上のように、溝１１又はマーク１２の幅や間隔は、ビームスポット径（約０．５μｍ）を意識して決定されている。光ディスク記録再生装置により上記した光ディスクＯＤのＢＣＡ１を再生したときに得られる再生信号のひずみは十分に抑制されることになる。
【００２０】
本実施形態では、ＨＤ ＤＶＤ（次世代ＤＶＤ)を想定する。その場合、光ディスクＯＤは、直径１２０ｍｍで厚さが１．２ｍｍ（０．６ｍｍのポリカーボネート成形基板２枚の貼り合せ）であり、ＢＣＡは半径２２．３〜２３．１ｍｍのドーナツ状に形成されているとする。
【００２１】
記録層としては、有機色素材料（例えばアゾ系、ジアゾ系、シアニン系、フタロシアニン系、スチリル系、もしくはこれらの混合物など）、無機相変化材料（例えばＧｅＳｂＴｅ系、ＡｇＩｎ系など）などが用いられ、成形基板がポリカーボネート、反射膜が銀（Ａｇ）、アルミ（Ａｌ）、金（Ａｕ）またはこれらをベースとする金属化合物、接着剤はアクリル系またはエポキシ系の紫外線硬化樹脂、が一般的である。この光ディスクＯＤの記録再生には、記録再生光として波長４０５ｎｍを採用し、ＮＡ０．６５の光学系を採用する。なお、本実施形態は、このスペックに限定されるものではない。
【００２２】
図２を参照して、光ディスクＯＤの作成方法の流れを説明する。原盤としては表面を研磨洗浄したガラスを用いる（ＳＴ２１）。その原盤表面にフォトレジストを塗布し（ＳＴ２２）、その表面をレーザー光などで露光することで情報を記録する（ＳＴ２３）。次に露光した原盤を現像しピットやグルーブ溝の凹凸を形成する（ＳＴ２４）。その後、その原盤をメッキ処理することでスタンパ（材料は一般にニッケル）を作成する（ＳＴ２５）。そのスタンパを型として射出成形により樹脂（材料は一般にポリカーボネート）成形板を作成する（ＳＴ２６）。こうして作られた成形基板上にスパッタ法やスピンコート法などで記録層や反射層（再生専用型は反射層のみ）を形成する（ＳＴ２７）。そして、成形基板をもう１枚用意して接着層を介して貼り合せる（ＳＴ２８）。この貼り合せディスクに対して、ＢＣＡ記録装置によりＢＣＡ領域にディスク固有のバーコード状ＢＣＡパターンを記録する（ＳＴ２９）、ことで光ディスクの完成となる。
【００２３】
このＢＣＡ記録工程（ＳＴ２９）で用いるＢＣＡ記録装置は、数十μｍオーダーの大きなＢＣＡマークを記録するために市販の光ディスク記録装置と比べて高出力レーザを用いて大きなビームスポットで記録する構造になっている。例えば、ＢＣＡ記録装置に使われるレーザーは９００ｍＷ級のものであるケースが多い。そこで光ディスクの記録層の感度を、ＢＣＡ記録装置では記録できるが市販の光ディスク記録装置（ＣＤ，ＤＶＤ，ＢＤ、ＨＤ  ＤＶＤ）では記録できない範囲に抑える。
【００２４】
具体的には、波長が４００〜８００ｎｍ、ＮＡ０．４５〜０．８５の光学系において、３００ｍＷ以下のレーザー強度で、かつ１．２ｍ／ｓ以上の線速では記録できない範囲に記録層の感度などを抑えることとする。ここで”記録できない”とは、（再生信号のＬｏｗ  Ｌｅｖｅｌ）／（再生信号のＨｉｇｈ  Ｌｅｖｅｌ）が０．８０を下回らない程度の反射率変化に収まることを指す。即ち、
（再生信号のＬｏｗ  Ｌｅｖｅｌ）／（再生信号のＨｉｇｈ  Ｌｅｖｅｌ）≧０．８
を満たすことを指す。
【００２５】
例えば、波長７８０ｎｍのＣＤ用レーザーには２４０ｍＷ程度の強度が出るものがあるが、このレーザーでＣＤの１倍速に相当する１．２ｍ／ｓの低線速でＢＣＡ領域に光を照射した場合を考える。レンズで絞るためパワー密度が上がることを考慮しても、本発明の範囲に光ディスクの記録層感度を抑えればこのディスク装置ではＢＣＡ信号を記録することができない。このディスクにＢＣＡ信号を記録するには、例えば９００ｍＷ級のＢＣＡ記録専用の生産設備が必要で、従ってＢＣＡの本来の目的である不正コピー防止やメディア種別の詐称防止などが可能となる。
【００２６】
また逆に光ディスク記録装置側では、ディスクのＢＣＡ領域に対して３００ｍＷ以上の強度でＢＣＡ領域に１．２ｍ／ｓ以下の線速で記録することの出来ない制限を設ける。こうすることでＢＣＡ信号は市販の光ディスク記録装置によりユーザーが勝手に記録することが出来ず、そのため不正コピー防止やメディア種別の詐称防止などのＢＣＡ本来の目的を果たすことができる。
【００２７】
光ディスクにＢＣＡ１（溝１１）を設ける第１の方法としては、原盤露光の工程（ＳＴ２３）で溝１１を記録する方法がある。この方法だとディスク一枚一枚に個別の情報を記録することは出来ないが、原盤に一度だけ溝１１を記録するだけで、溝１１が形成されたスタンパーＳＴを得ることができ、このスタンパーＳＴによりＢＣＡ記録済みのディスクを量産することができる。つまり、この第１の方法は、ディスクの量産性に優れる。
【００２８】
図１又は図３に示すように、スタンパーＳＴは、同心円状のＢＣＡ（管理情報エリア）１を備えている。このＢＣＡ１は、円周方向及び半径方向に刻まれた複数の溝１１を備えている。また、半径方向に並んだ溝１１の集合体は、ＢＣＡパターン１０を形成している。また、円周方向に並んだＢＣＡパターン１０の集合体は、管理情報を構成する。別の言い方をすれば、ＢＣＡ１は、半径方向に並んだ複数の溝１１又はマーク１２の集合体により構成される円周方向に並んだ複数のＢＣＡパターン１０を含む。そして、この円周方向に並んだ複数のＢＣＡパターン１０が、管理情報を構成する。
【００２９】
また、溝１１の幅Ｗは、０．１５μｍ≦Ｗ≦０．５μｍである。また、半径方向に隣接し合う溝１１同士の間（エッジ間）の距離Ｄは、Ｄ≦０．５μｍである。また、半径方向に隣接し合う溝１１同士の円周方向のずれ量Ｓは、０．５μｍ≦Ｓ≦５．０μｍである。なお、円周方向に隣接し合うＢＣＡパターン１０同士の距離は、半径方向に隣接し合う溝１１同士の間（エッジ間）の距離Ｄよりも十分長くなっており、このような距離間隔で配置されるＢＣＡパターン１０によりディスク固有の情報又は管理情報が構成される。
【００３０】
以上のように、溝１１のサイズ及び配置間隔等は、約０．５μｍのビームスポット径に対して極端に大きいパターンではなく、この約０．５μｍのビームスポット径に対して適切なサイズ及び配置間隔となる。言い換えればパターンのエッジが、常にビームスポット内に現れるような状態になる。こうしておけば、例えばＢＣＡ１からの再生信号が、ＬｏｗレベルであるべきところでＨｉｇｈレベルになるような信号の歪みを抑えることが出来る。
【００３１】
なお、ずれ量Ｓの上限５．０μｍという値は、ＢＣＡ１からの再生信号に許容されるずれ量０．７５μｓ（２７６０ｒｐｍでディスクを回転したときにＬｏｗレベルの長さは１．５６±０．７５μｓでなければならない）を距離に直したものである。この値以内ならば溝の並びにずれがあってもＢＣＡ１は正しく再生でき、また逆に故意に溝の並びをずらすことによってパターンのエッジがなるべくビームスポット内に現れるような状態を維持することができ、再生信号の歪みを抑えることが出来る。
【００３２】
光ディスクにＢＣＡ１（溝１１又はマーク１２）を設ける第２の方法としては、製盤終了後の光ディスクＯＤに対してＢＣＡ記録装置（管理情報記録装置）によりＢＣＡに溝１１又はマーク１２のパターンを記録する方法がある。この方法では、ＢＣＡ記録装置のレーザービームによりディスクの反射膜を焼き切って溝１１を形成したり（再生専用型ディスク）、ＢＣＡ記録装置のレーザービームでディスクの記録層にマーク１２を記録したり（書換型ディスク、追記型ディスク）する。ディスク一枚一枚に記録するための時間がかかり生産性はやや劣るが、ディスク一枚一枚に個別の情報を記録することができる。例えばコピープロテクションなどに有効なディスク識別情報の記録に適している。
【００３３】
また、上記以外に、図４に示すようなＢＣＡパターンとしてもよい。つまり、図４に示すように、光ディスク（情報記憶媒体）Ｄは、内周側に同心円状のＢＣＡ（管理情報エリア）１ａを備え、このＢＣＡ１ａの外周側に情報を記録できるユーザエリア２ａを備えている。このＢＣＡ１ａは、円周方向及び半径方向に刻まれた複数のマーク１２ａを備えている。マーク１２ａは、相変化または色素変化により記録されたものである。また、半径方向に並んだマーク１２ａと円周方向に並んだ一部のマーク１２ａの集合体は、ＢＣＡパターン１０ａ（棒状のパターン）を形成している。また、円周方向に並んだ前記ＢＣＡパターン１０ａの集合体は、ディスク固有の情報又は管理情報を構成する。別の言い方をすれば、ＢＣＡ１ａは、半径方向及び円周方向に並んだ複数のマーク１２ａの集合体により構成される円周方向に並んだ複数のＢＣＡパターン１０ａを含む。そして、この円周方向に並んだ複数のＢＣＡパターン１０ａが、管理情報を構成する。
【００３４】
また、マーク１２ａの幅Ｗ（半径方向の長さ）は、０．１５μｍ≦Ｗ≦０．５μｍである。また、一つのＢＣＡパターン１０ａを構成する半径方向に隣接し合うマーク１２ａ同士の間（エッジ間）の距離Ｄは、Ｄ≦０．５μｍである。
【００３５】
上記したように、溝１１又はマーク１２、１２ａのサイズを光ディスク記録再生装置のビームスポット径のサイズに近くすることで、ＢＣＡからの再生信号のひずみを抑えることが出来る。
【００３６】
次に、図５及び図６を参照して、ＢＣＡ記録装置（管理情報記録装置）の概略構成について説明する。図５は、ＢＣＡ記録装置（管理情報記録装置）の第１例の概略構成を示す図である。図６は、ＢＣＡ記録装置（管理情報記録装置）の第２例の概略構成を示す図である。
【００３７】
図５に示すように、ＢＣＡ記録装置は、コントローラ３１、レーザー出力制御部３２、フィード機構３３、光ヘッド３４、スピンドル駆動部３５、ランダム遅延回路３６、スピンドルモータ３７を備えている。
【００３８】
コントローラ３１は、ＢＣＡパターンに対応したＢＣＡ信号を発生したり、フィード機構制御信号を発生したり、また同期信号を発生したりする。レーザー出力制御部３２、ＢＣＡ信号に基づき光ヘッド３４を構成するレーザー３４ａの駆動を制御する。つまり、レーザー３４ａは、ＢＣＡパターンに対応したレーザービームを例えば９００ｍＷ（３００ｍＷを超えるパワー）のパワーレベルで照射する。フィード機構３３は、フィード機構制御信号に基づき光ヘッド３４をディスクの半径方向に移動させる。また、光ヘッド３４を構成するアクチュエーター３４ｂが、レーザー３４ａから照射されるビームスポットの照射位置を微調整する。
【００３９】
スピンドル駆動部３５は、同期信号に基づきスピンドル駆動信号を発生する。ランダム遅延回路３６は、スピンドル駆動信号にランダムな遅延成分を加える。スピンドルモータ３７は、ランダムな遅延成分を含むスピンドル駆動信号に基づき回転し、このスピンドルモータ３７の回転により光ディスクＯＤも回転する。その結果、図１、図３、図４に示すＢＣＡパターン１０、１０ａを、ディスク上に形成することができる。
【００４０】
図６に示すように、ＢＣＡ記録装置は、コントローラ４１、レーザー出力制御部４２、フィード機構４３、光ヘッド４４、スピンドル駆動部４５、スピンドルモータ４７、高周波ＯＮ／ＯＦＦ回路４８を備えている。
【００４１】
コントローラ４１は、ＢＣＡパターンに対応したＢＣＡ信号を発生したり、フィード機構制御信号を発生したり、また同期信号を発生したりする。高周波ＯＮ／ＯＦＦ回路４８は、ＢＣＡ信号をマーク列に分割する。レーザー出力制御部４２、ＢＣＡ信号に基づき光ヘッド４４を構成するレーザー４４ａの駆動を制御する。つまり、レーザー４４ａは、ＢＣＡパターンに対応した例えば９００ｍＷ（３００ｍＷを超えるパワー）のレーザービームを照射する。フィード機構４３は、フィード機構制御信号に基づき光ヘッド４４をディスクの半径方向に移動させる。また、光ヘッド４４を構成するアクチュエーター４４ｂが、レーザードライバー４４ａから照射されるビームスポットの照射位置を微調整する。
【００４２】
スピンドル駆動部４５は、同期信号に基づきスピンドル駆動信号を発生する。スピンドルモータ４７は、スピンドル駆動信号に基づき回転し、このスピンドルモータ４７の回転により光ディスクＯＤも回転する。その結果、図１、図３、図４に示すＢＣＡパターン１０、１０ａを、ディスク上に形成することができる。
【００４３】
次に、図７〜図１１を参照して、光ディスクＯＤのＢＣＡに記録されたＢＣＡパターン（管理情報）の再生について説明する。図７は、光ディスクＯＤのＢＣＡに記録されたＢＣＡパターン（管理情報）を再生する光ディスク記録再生装置の概略構成を示す図である。図８は、ＢＣＡにおけるビームスポットの動きを説明するための図である。図９は、ＢＣＡから直接得られる再生信号を説明するための図である。図１０は、光ディスクＯＤのＢＣＡに記録されたＢＣＡパターン（管理情報）を再生する再生方法を説明するためのフローチャートである。図１１は、ＢＣＡから得られた再生信号をフィルター処理した後の再生信号を説明するための図である。
【００４４】
図７に示すように、光ディスク記録再生装置は、コントローラ５１、記録信号処理回路５２、レーザードライバー（ＬＤ）５３、光ピックアップヘッド（ＰＵＨ）５４、プリアンプ５５、サーボ回路５６、ＢＣＡ信号処理回路５７、ＲＦ信号処理回路５８、アドレス信号処理回路５９、スピンドルモータ９０、スピンドル駆動部９１を備えている。さらに、光ピックアップヘッド（ＰＵＨ）５４は、レーザー（レーザ光源）５４ａ、アクチュエーター（ＡＣＴ）５４ｂ、フォトディテクター（ＰＤ）５４ｃ、対物レンズ５４ｄを備えている。
【００４５】
ユーザエリア２、２ａに情報記録する時には、コントローラ５１は記録信号を出力し、記録信号処理回路５２はこの記録信号を変調し、レーザードライバー（ＬＤ）５３は変調された記録信号に基づきレーザー５４ａを駆動する。つまり、レーザー５４ａは、記録信号に対応したレーザービームを照射する。これにより、レーザービームは対物レンズ５４ｄ（ＮＡ：０．８５〜０．４５）を介して光ディスクＯＤに照射され情報が記録される。
【００４６】
また、管理情報エリア１、１ａに情報記録しようとする時には、スピンドルモータ９０はスピンドル駆動部９１によって、線速１．２ｍ／ｓ以上の条件で回転制御され、かつ、レーザドライバー（ＬＤ）５３は強度３００ｍＷ以下のレーザパワーで光ディスクに照射するようレーザー５４ａを制御する。このように、管理情報エリア１、１ａへの情報記録時において、レーザー強度が３００ｍＷを越えるパワーで、且つ、線速１．２ｍ／ｓより低い線速ではレーザービームを照射することができないように制限する。なお、これから記録しようとする位置が管理情報エリア１、１ａであるかどうかは、管理情報エリア１、１ａがディスク半径２２．３〜２３．１ｍｍに位置されていることから分かる。
【００４７】
情報再生時には、レーザードライバー（ＬＤ）５３は再生信号に基づきレーザー５４ａを駆動する。これにより、レーザー５４ａは、再生用のレーザービームを照射する。このレーザービームの照射により、光ディスクＯＤから反射される反射光は、フォトディテクター５４ｃにより検出される。フォトディテクター５４ｃは、反射光成分を電気信号として出力する。なお、フォトディテクター５４ｃは、複数の光検出素子（例えば４つの光検出素子）により構成されている。各光検出素子により検出された信号成分を加算した信号を和信号、またある光検出素子により検出された信号成分から残りの光検出素子により検出された信号成分を減算した信号を差信号と呼ぶ。プリアンプ５５は、フォトディテクター５４ｃから出力される電気信号を増幅する。
【００４８】
サーボ回路５６は、コントローラ５１からのサーボ制御信号及びフォトディテクター５４ｃにより検出されプリアンプにより増幅された電気信号に基づきサーボ信号を生成する。アクチュエーター（ＡＣＴ）５４ｂは、サーボ信号に基づき、フォーカス、トラッキング、チルトを制御する。
【００４９】
ＢＣＡ信号処理回路５７は、フォトディテクター５４ｃにより検出されプリアンプにより増幅された電気信号（和信号）を処理してＢＣＡパターンを再生する。ＢＣＡ信号処理回路５７は、ローパスフィルター５７ａを備えており、ローパスフィルター５７ａにより高周波成分のノイズが除去される。ＲＦ信号処理回路５８は、フォトディテクター５４ｃにより検出されプリアンプにより増幅された電気信号（和信号）を処理してコンテンツ情報を再生する。アドレス信号処理回路５９は、フォトディテクター５４ｃにより検出されプリアンプにより増幅された電気信号（和信号）を処理して物理アドレス情報を再生する。
【００５０】
図８に示すように、ＢＣＡ再生時には、再生光のビームスポットのトラッキング制御はオフになる。従って、再生光のビームスポットは、ＢＣＡ内のＢＣＡパターン１０、１０ａを斜めに通過することがある。これに伴い、図９に示すように、ＢＣＡから直接得られる再生信号には、ＢＣＡパターンの信号成分に加えて、パターンの隙間からの微小な信号がノイズとして含まれる。このノイズを除去するのが、図７に示すＢＣＡ信号処理回路５７のローパスフィルター５７ａである。
【００５１】
図１０を参照して、ＢＣＡパターンの再生をまとめる。まず、光ディスクＯＤが装着され（ＳＴ３１）、スピンドルモータ３７が回転し（ＳＴ３２）、フォーカスがオンし（ＳＴ３３）、ビームスポットがＢＣＡへ移動する（ＳＴ３４）。これにより、ＢＣＡからの再生信号が得られ（ＳＴ３５）、ローパスフィルター処理（ＳＴ３６）を経て、図１１に示すような高周波成分のノイズが除去された再生信号が得られる（ＳＴ３７）。この高周波成分のノイズの除去により、正確にＢＣＡを再生することができる。
【００５２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５３】
【図１】本発明の一例の光ディスク（再生専用光ディスク、追記型光ディスク、書換型光ディスク）におけるＢＣＡ（Burst Cutting Area）の構成を示す図。
【図２】この光ディスクの作成方法の流れを示す図。
【図３】この光ディスク上に形成されるＢＣＡの中のＢＣＡパターンの第１例を示す図。
【図４】この光ディスク上に形成されるＢＣＡの中のＢＣＡパターンの第２例を示す図。
【図５】ＢＣＡ記録装置（管理情報記録装置）の第１例の概略構成を示す図。
【図６】ＢＣＡ記録装置（管理情報記録装置）の第２例の概略構成を示す図。
【図７】光ディスクＯＤのＢＣＡに記録されたＢＣＡパターン（管理情報）を再生する光ディスク装置の概略構成を示す図。
【図８】ＢＣＡにおけるビームスポットの動きを説明するための図。
【図９】ＢＣＡから直接得られる再生信号を説明するための図。
【図１０】光ディスクＯＤのＢＣＡに記録されたＢＣＡパターン（管理情報）を再生する再生方法を説明するためのフローチャート。
【図１１】ＢＣＡから得られた再生信号をフィルター処理した後の再生信号を説明するための図。
【符号の説明】
【００５４】
ＯＤ…光ディスク、ＳＴ…スタンパー、１…ＢＣＡ、１０…ＢＣＡパターン、１１…溝、１２、１２ａ…マーク、３１…コントローラ、３２…レーザー出力制御部、３３…フィード機構、３４…光ヘッド、３５…スピンドル駆動部、３６…ランダム遅延回路、３７…スピンドルモータ、４１…コントローラ、４２…レーザー出力制御部、４３…フィード機構、４４…光ヘッド、４５…スピンドル駆動部、４７…スピンドルモータ、４８…高周波ＯＮ／ＯＦＦ回路、５１…コントローラ、５２…記録信号処理回路、５３…レーザードライバー（ＬＤ）、５４…光ピックアップヘッド（ＰＵＨ）、５５…プリアンプ、５６…サーボ回路、５７…ＢＣＡ信号処理回路、５８…ＲＦ信号処理回路、５９…アドレス信号処理回路５４ａ…レーザー、５４ｂ…アクチュエーター（ＡＣＴ）、５４ｃ…フォトディテクター（ＰＤ）
【図１】
2006268906.tif 000003
【図２】
2006268906.tif 000004
【図３】
2006268906.tif 000005
【図４】
2006268906.tif 000006
【図５】
2006268906.tif 000007
【図６】
2006268906.tif 000008
【図７】
2006268906.tif 000009
【図８】
2006268906.tif 000010
【図９】
2006268906.tif 000011
【図１０】
2006268906.tif 000012
【図１１】
2006268906.tif 000013